(57)【要約】      （修正有）【課題】送電コイルと受電コイルとの間の典型的な間隔が、長くても５ｍｍ、好ましくは、２．５ｍｍ以下であるＱｉタイプ等の超狭域システムの規格に準拠したワイヤレス再充電システムを備えたヘッドセットを提供する。【解決手段】ヘッドセットは２つのイヤホン１０を備え、それぞれのイヤホンはトランスデューサ３０を受けるシェル１４に取り付けられた略リング状の可撓性のサーカムオーラル型またはスープラオーラル型のパッドを備える。ヘッドセットは、バッテリによって電力が供給される電子回路と、少なくとも１つの誘導結合再充電コイル２０に接続されたバッテリ再充電回路とを備える。充電コイルは、パッドに収容され、パッドの外皮１６ａ、１６ｂの着用者側の外側限界平面に近くのパッドの領域、例えば、パッドの外皮の２つの部分１６ａ、１６ｂの間の継ぎ目Ｃ付近のパッドの領域に収容される。【選択図】図２
2016072978.tif 000002
【特許請求の範囲】
【請求項１】
２つのイヤホン（１０）と前記イヤホン間のリンク要素（１２）とを備えるオーディオヘッドセットであって、
それぞれのイヤホンは、トランスデューサ（３０）を受けるシェル（１４）と、略リング状の可撓性のサーカムオーラル型またはスープラオーラル型のパッド（１６）とを備え、
前記ヘッドセットは、
バッテリによって電力が供給される電子回路と、
少なくとも１つの誘導結合再充電コイル（２０）に接続されたバッテリ再充電回路と、
を備え、
前記コイル（２０）は、前記イヤホン（１０）の少なくとも１つのイヤホンの前記パッド（１６）に収容されるものであって、このパッドの自由表面付近に位置する領域であって前記シェルの反対側の前記パッドの外皮（１６ａ、１６ｂ）の着用者側の外側限界平面付近の領域に収容され、
前記コイル（２０）は、前記パッド（１６）の変形性を本質的に損なわないような変形性を有することを特徴とするオーディオヘッドセット。
【請求項２】
前記コイル（２０）は、前記パッドの耳用開口部に軸方向かつ半径方向に隣接する前記パッド（１６）の領域に配置されていることを特徴とする、請求項１に記載のオーディオヘッドセット。
【請求項３】
前記コイル（２０）は、前記パッドの外皮の２つの部分（１６ａ、１６ｂ）の間の継ぎ目（Ｃ）付近に配置されており、前記継ぎ目は、前記パッドの略リング状の形状に適合している、請求項１に記載のオーディオヘッドセット。
【請求項４】
前記パッド（１６）の前記外皮（１６ａ、１６ｂ）の着用者側の自由表面は、ほぼ平面である、請求項１に記載のオーディオヘッドセット。
【請求項５】
前記コイル（２０）の断面は平坦であり、長軸が前記コイルの平面に含まれている、請求項４に記載のオーディオヘッドセット。
【発明の詳細な説明】
【技術分野】
【０００１】
本発明は、埋め込み電子回路を組み込んだヘッドセットに関する。
【背景技術】
【０００２】
ヘッドセットは、特に、フィルタリング信号処理回路（例えば、周囲ノイズを能動的に削減する回路）および／またはヘッドセットを無線利用するための受信回路を備えたヘッドセットであって、後者はＢｌｕｅｔｏｏｔｈ（Ｂｌｕｅｔｏｏｔｈ  ＳＩＧの登録商標）タイプのリンク等によって、ＭＰ３プレーヤ、ラジオ、スマートフォン等の機器に接続される。
【０００３】
このようなヘッドセットは、通常、定期的に再充電が必要なバッテリを含む。また、イヤホン用のワイヤレス再充電システムも知られているが、このシステムでは非常に特殊な構成を備える必要が生じる。
【０００４】
このことから、特許文献１には、語学演習室用ヘッドセットの再充電システムであって、各ヘッドセットの一方のイヤホンのシェルに一体化された受電コイルを用いた充電システムが記載されている。再充電は、ヘッドセット収納具の特定区画にこのイヤホンをセットして行われる。この区画には一次コイルが組み込まれ、一次コイルは、ヘッドセットのワイヤレス再充電が可能なようにコイルの動作範囲にイヤホンが位置するように配置される。
【０００５】
特許文献２には、中央再充電コイルを備えるスタンドにヘッドセットの弓部をかけて吊るす別のワイヤレス再充電システムが記載されている。イヤホンの一方は、離れた中央コイルに向くようにイヤホンのシェルの内側（すなわち、耳の方に向いたシェルの側）に取り付けられた受電コイルを含む。
【０００６】
しかしながら、これらの既知の装置は、超狭域再充電システム、例えば、スマートフォンや携帯型ゲームコンソール等の機器を充電するために使用されるワイヤレスパワーコンソーシアム（Ｗｉｒｅｌｅｓｓ  Ｐｏｗｅｒ  Ｃｏｎｓｏｒｔｉｕｍ）の「Ｑｉ」インタフェース規格の規定に準拠したシステムには適応していない。このような充電システムでは、適切な支持ベースのプレート上に機器を置いて、再充電システムとプレート下に取り付けられた送電コイルとを一体化するだけでよい。
【０００７】
しかしながら、この規格の場合、２つのコイル間の誘導結合を良好なものにし、ひいては、支持ベースのプレートと再充電対象機器との間で再充電エネルギーのワイヤレス送信を十分に確保できるようにするためには、送電コイルと受電コイルとの間の距離を、通常、長くても５ｍｍ、好ましくは、２．５ｍｍ以下のものとする必要がある。
【０００８】
スマートフォンやゲームコンソールの場合、これらの機器は、機器ケーシングの内側に、一般に、通常の動作では用途のない平坦面（一般には、機器ケーシングの背面）を有し、この平坦面に対して機器の受電コイルを適用することができる。したがって、この受電コイルと再充電プレートとの間の距離は、機器の壁の厚みにほぼ相当し、この距離は非常に短いため、２つのコイル間に優れた結合が確保される。
【０００９】
一方で、ヘッドセットの場合、このような機器は、一般に、スマートフォンやゲームコンソールの背面の役割を担いうる、用途のない平坦面はない。このような構成および役割をイヤホンのシェルの外面の一方に与えると、この面は視認可能であり、さらには、特に露出されているため、スタイルの観点から満足できるものではない。
【先行技術文献】
【特許文献】
【００１０】
【特許文献１】英国特許出願公開第１５９２４６８号
【特許文献２】米国特許出願公開第２０１３／０２２３６４０号
【発明の概要】
【発明が解決しようとする課題】
【００１１】
上述した課題は、本発明が解決しようとする課題である。
【００１２】
したがって、本発明の目的は、（再充電ベースの）送電コイルと（再充電対象機器、この場合は、ヘッドセットの）受電コイルとの間の典型的な間隔が、長くても５ｍｍ、好ましくは、２．５ｍｍ以下であるＱｉタイプ等の超狭域システムの規格に準拠したワイヤレス再充電システムを備えたヘッドセットを提案することである。
【００１３】
一方で、このようなヘッドセットは、再充電ベースが当該規格に準拠するものであれば、どのような充電ベースからでも充電できる必要がある。言い換えれば、本発明のヘッドセットは、専用の収納具や支持スタンドからのみしか再充電できない上述した特許文献１および特許文献２に記載されたヘッドセットとは異なり、再充電のための特定のシステムが不要である必要がある。
【００１４】
さらに、ヘッドセットの再充電は、ユーザが取扱いに困ったり、特別な注意書きが必要になったりすることなく、簡潔かつ確実に行われるものでなければならない。すなわち、何ら他の特別な動きをすることなく、ユーザがヘッドセットを再充電ベースのプレートに置くだけで充分である必要がある。
【課題を解決するための手段】
【００１５】
上記目的を達成するために、本発明は、上述した特許文献１に記載された一般的なタイプのオーディオヘッドセットであって、２つのイヤホンと、イヤホン間のリンク要素とを備えるヘッドセットを提案する。各イヤホンは、トランスデューサを受けるシェルと、略リング状の可撓性のサーカムオーラル型またはスープラオーラル型のパッドとを備える。ヘッドセットは、バッテリによって電力が供給される電子回路と、少なくとも１つの誘導結合再充電コイルに接続されたバッテリ再充電回路とを備える。
【００１６】
本発明の特徴として、コイルは、当該イヤホンの少なくとも１つのイヤホンのパッドの自由表面付近に位置する領域に収容され、この領域は、シェルの反対側であって、パッドの外皮の着用者側の外側限界平面付近に位置するとともに、コイルは、パッドの変形性を本質的に損なわないような変形性を備える。
【００１７】
ヘッドセットは、好適には、個々に考慮され、または任意の技術的に可能な組み合わせに従って、以下のさらなる特徴、すなわち、
−コイルは、耳用開口部に軸方向かつ半径方向に隣接したパッドの領域に配置され、
−コイルは、パッドの外皮の２つの部分間の継ぎ目付近に配置され、この継ぎ目は、パッドの略リング状の形状に適合し、
−パッドの外皮の着用者側の自由表面は、ほぼ平面であり、
−コイルの断面は、長軸がコイルの平面に含まれた平坦である、
という特徴を含むが、これらの特徴は任意のものである。
【００１８】
以下、添付の図面を参照しながら、本発明の実施形態の一例について記載する。図面において、同じ参照番号は同一または機能的に同様の要素を示す。
【図面の簡単な説明】
【００１９】
【図１】ユーザの頭に配置された本発明によるヘッドセットの斜視図。
【図２】図１のヘッドセットの２つのイヤホンの一方の部分断面図。
【図３】図２のイヤホンのパッドの断面図。
【図４】異なる形状を有する本発明によるヘッドセットのパッドの斜視図。
【図５】ワイヤレス充電装置の表面に載置された本発明によるオーディオヘッドセットの側面図。
【発明を実施するための形態】
【００２０】
図面、特に、図１を参照すると、ユーザの頭上にオーディオヘッドセットが配置された状態のオーディオヘッドセットが示されている。
【００２１】
このヘッドセットは、従来の公知の方法で、保持用弓部１２によって接続された２つのイヤホン１０、１０’を含む。弓部１２は、イヤホンをユーザの頭の形状に適合させることで、イヤホンをユーザの頭に良好にフィットさせることができる枢動リンク１３を通してイヤホンに接続される。
【００２２】
イヤホン１０、１０’はそれぞれ、ユーザの耳の輪郭に対向する外側シェル１４を備え、シェル１４と耳の周囲との間には、耳の領域と外部の音環境との間を十分に音響隔離できるようにするために、可撓性のサーカムオーラル型またはスープラオーラル型のパッド１６の略楕円形または略円形の外形の介在物がある。パッド１６は、例えば、模造皮革、または頑丈さや快適さであるという同様の性質を備えた別の材料で作られた可撓性外皮１６ａ、１６ｂと、外皮１６ａ、１６ｂの内部に含まれた、例えば、発泡材または繊維等の可撓性の詰め物１６ｃとを備える。図３に示すように、パッドの一部（部分１６ａ）は、シェルの一部と側方で適合するようにシェル１４の側に向かって軸方向に続く。
【００２３】
図２には、シェル１４と、少なくとも１つのトランスデューサ（ここでは単一のトランスデューサ３０）を支持するための内部構造と、パッド１６を固定するための、好ましくは、クリップ留めによって固定するための構造体３４とを備えるイヤホンの一方の詳細が示されている。
【００２４】
シェル１４（または反対側のシェル）はまた、図示していない公知の方法で、再充電式バッテリと、特に、以下の機能、すなわち、
−Ｂｌｕｅｔｏｏｔｈ規格等に準拠した、コンピュータ、タブレット等の送電ステーションとのワイヤレス通信と、
−トランスデューサ、特に、周囲ノイズキャンセリング、一括補正、臨場感、効果の適用等のための回路に適用される音声信号処理と、
−以下に記載する誘導コイルによって集められた電気エネルギーの回復と、バッテリの充電を行うための電圧レベル適応と、
を確保するための電子回路とを収容する。
【００２５】
また、オーディオヘッドセットは、場合によって、パッド１６の反対側の、シェル１４の一方の外面に位置する図示していない制御インタフェース（タッチパッド、ボタン等）をさらに備える。
【００２６】
本発明によれば、オーディオヘッドセットは、非接触再充電式であり、この目的のために、エネルギー回復充電回路に接続された、外部装置によって発せられる磁気流を回復させるための少なくとも１つのコイルを備える。
【００２７】
さらに詳しく言えば、特に、図５に示すように、コイルは、２つのパッド１６が平坦な再充電表面Ｓと接触した状態で公知の方法で磁気流を発しながら、当該再充電表面Ｓ上にあるヘッドセットにおいてバッテリの充電が実行されるように配置される。
【００２８】
この目的のために、図２および図３に示すように、参照番号２０で示すコイルは、シェルの反対側にあるパッド１６の外部領域、すなわち、パッドの自由表面付近に配置される。
【００２９】
この点に関して、好適には、パッドの当該自由表面は、図２および図３に示すように、略平坦な表面であり、パッド１６を当該表面と接触させた状態でヘッドセットが充電表面Ｓ上に載置されると、コイル２０（または各イヤホンにコイルが設けられる場合、各コイル）との距離は、プレートにおいて磁気流を発するコイルと受電するコイル２０との間で十分な誘導結合を確保できるほど短いものである。
【００３０】
典型的には、ワイヤレスパワーコンソーシアムの「Ｑｉ」インタフェース規格の規定に準拠して行われる再充電では、この距離は、２．５ｍｍ以下であり、この距離は、軸方向かつ半径方向に外部に位置するパッド部分１６ａと、軸方向かつ半径方向に内部に位置するパッド部分１６ｂとの間の継ぎ目Ｃの付近にパッド１６のコイルを組み込むことによって得られうる。
【００３１】
実際、コイル２０をこの継ぎ目Ｃの付近に配置することで、パッドの詰め物１６ｃを配置し、図２および図３に示す位置にコイルを配置して、継ぎ目Ｃを作ることができる。
【００３２】
パッドの可撓性および快適性を損なわないように、コイルは、これらの要求に合わせた断面および可撓性を有する。この目的のために、コイル２０は、典型的には、０．０７〜０．２ｍｍ2の小さな断面の銅線によって与えられ、巻線間の絶縁体は、適切な可撓性を有する樹脂である。上述した範囲の銅線断面を有するコイルの巻数は、典型的に、約１０〜１８巻である。
【００３３】
さらに、コイル２０の断面は、図２および図３に示すように、円形であっても、平坦であってもよく、快適性を保つように良好に適応された変形性を確保するために、長軸は、好ましくは、コイルの平面に含まれている。コイル２０の端部線は、パッド１６の内側または外側のいずれかを通ることによってエネルギー回復充電回路に接続される。
【００３４】
ヘッドセットの２つのイヤホン１０がコイル２０を備える場合、シェル１４の一方に位置するエネルギー回復バッテリ充電装置は、弓部１２を通る適切なリード線によって反対のイヤホンのコイルに接続される。
【００３５】
パッド１６にコイル２０を位置づける別の利点は、シェル１４の外面、特に、シェルの制御インタフェースと、シェルに収容された回路とが、コイルを収容するように限定的に変更される必要がないことである。
【００３６】
さらなる別の利点は、パッド１６の可撓性と、ヘッドセットの重みとが組み合わさることによって、このパッドを再充電表面に良好に適用できることである。これは、一般に、剛性のプラスチック材料製のシェル１４側にコイルが配置されれば、適用できないものである。
【００３７】
図４は、着用者の頭に対して載置するようにされた自由面の側に、より曲線的な形状の断面を有するパッド１６の一変形例を示す。この場合、コイル２０は、ここでもコイルと再充電表面との間の距離が可能な限り最短距離になるように、この曲線的な形状の頂点付近に配置される。
【００３８】
図５は、当業者に公知の技術的原理を有する適切なサイズのワイヤレス充電装置の表面に対して載置されたヘッドセット１０を示す。
【００３９】
弓部１２とイヤホン１０との間の関節部１３により、２つのコイル２０は、充電表面Ｓに対して平坦に配置されることで、十分な誘導結合とともに、さらに高速なバッテリ充電を保証する。
【図１】
2016072978.tif 000003
【図２】
2016072978.tif 000004
【図３】
2016072978.tif 000005
【図４】
2016072978.tif 000006
【図５】
2016072978.tif 000007
【外国語明細書】
2016072978000001.pdf